【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
コインを任意の姿勢状態で投入可能なコイン投入部と、
該コイン投入部の下部に連続して下方傾斜して延在し前記コインの両側端部を点接触により支持し得る断面凹状の凹状底部、該凹状底部に沿って終端部まで移動してきたコインが触突するコイン触突壁、該コイン触突壁に沿って前記凹状底部に開口し前記コインの１枚分の厚さ幅よりも広くかつ２枚分の厚さ幅よりも狭い間隙を有するコイン送出口が形成されたコイン通路部と、
前記コイン通路部を振動させる振動手段と、を有し、
前記コインを前記コイン通路部内で前記触突壁に沿って延在する起立姿勢状態として前記コイン送出口から前記コイン通路部の下方に送り出す投入コイン送出装置と、
前記コイン送出口の下部に連続して下方に向かって延在し、該コイン送出口から送り出されたコインを案内するコイン案内路と、
該コイン案内路を通過するコインを検出するコイン通過検出部と、を有し、
前記コイン通過検出部からの検出信号に基づいて前記コインを受け入れたことを認識するコイン受入認識装置と、
を備えたことを特徴とする遊技機。
【請求項２】
前記コイン通路部は、前記凹状底部が所定の曲率半径で凹状に湾曲していることを特徴とする請求項１に記載の遊技機。
【請求項３】
前記コイン通路部は、前記凹状底部が前記コインの外径よりも若干大きい一定の曲率半径で凹状に湾曲していることを特徴とする請求項１に記載の遊技機。
【請求項４】
前記コイン通路部は、前記凹状底部が水平方向に対して１５度から２０度の間の角度で下方傾斜して延在するように配置されたことを特徴とする請求項１〜３のいずれか１項に記載の遊技機。
【請求項５】
前記振動手段は、前記コイン通路部内で前記コインを前記コイン通路部の延在方向に沿って延在する姿勢状態から前記起立姿勢状態に姿勢変更させるように、前記コイン通路部の延在方向に対して交差する方向に前記コイン通路部を振動させることを特徴とする請求項１〜４のいずれか１項に記載の遊技機。
【請求項６】
前記振動手段は、前記コイン通路部を上下方向に振動させることを特徴とする請求項５に記載の遊技機。
【請求項７】
前記コイン通路部は、前記コインの外径よりも若干大きい内径を有する円形の内孔を有し、該内孔が前記凹状底部を有することを特徴とする請求項１〜６のいずれか１項に記載の遊技機。
【請求項８】
前記コイン投入部は、前記コインの外径よりも広い範囲に亘って上方に向かって開口するコイン投入口と、該コイン投入口から下方に移行するにしたがって漸次狭窄するロート部と、該ロート部の下端で下方に向かって開口するコイン供給口とを有しており、該ロート部は、前記コイン投入口から投入された前記コインを受ける受け壁部と、該受け壁部から突出して前記コインとの当接により前記コインを任意の姿勢状態から所定の姿勢状態に姿勢変更させる突起部とを有することを特徴とする請求項１〜７のいずれか１項に記載の遊技機。
【請求項９】
前記コインが前記コイン通路部内に存在していることを検出するコイン存在検出手段と、
該コイン存在検出手段からの検出信号に基づいて前記振動手段を制御する制御手段と、
を有することを特徴とする請求項１〜８のいずれか１項に記載の遊技機。
【手続補正２】
【補正対象書類名】明細書
【補正対象項目名】００１４
【補正方法】変更
【補正の内容】
【００１４】
上記課題を解決する請求項１に記載した遊技機の発明は、コインを任意の姿勢状態で投入可能なコイン投入部と、コイン投入部の下部に連続して下方傾斜して延在しコインの両側端部を点接触により支持し得る断面凹状の凹状底部、凹状底部に沿って終端部まで移動してきたコインが触突するコイン触突壁、コイン触突壁に沿って凹状底部に開口しコインの１枚分の厚さ幅よりも広くかつ２枚分の厚さ幅よりも狭い間隙を有するコイン送出口が形成されたコイン通路部と、コイン通路部を振動させる振動手段と、を有し、コインをコイン通路部内で触突壁に沿って延在する起立姿勢状態としてコイン送出口からコイン通路部の下方に送り出す投入コイン送出装置と、コイン送出口の下部に連続して下方に向かって延在し、コイン送出口から送り出されたコインを案内するコイン案内路と、コイン案内路を通過するコインを検出するコイン通過検出部と、を有し、コイン通過検出部からの検出信号に基づいてコインを受け入れたことを認識するコイン受入認識装置と、を備えたことを特徴とする。
【手続補正３】
【補正対象書類名】明細書
【補正対象項目名】００１５
【補正方法】変更
【補正の内容】
【００１５】
請求項１の発明によると、コイン投入部のコイン投入口に任意の姿勢状態で投入されたコインは、コイン通路部に供給されて凹状底部上を下方に向かって滑り落ちながら移動する。
【手続補正４】
【補正対象書類名】明細書
【補正対象項目名】００１６
【補正方法】変更
【補正の内容】
【００１６】
凹状底部は、コインの両側端部を点接触により支持し得る断面凹状であり、コイン通路部は、振動手段によって振動されている。したがって、コインはその移動方向に直交する両側端部が凹状底部に点接触し、コインの移動方向に沿って延在するように支持され、コインの両側端部を中心として容易に回動可能な不安定な姿勢状態で凹状底部上を下方に向かって滑り落ちながら移動する。
【手続補正５】
【補正対象書類名】明細書
【補正対象項目名】００２２
【補正方法】変更
【補正の内容】
【００２２】
請求項２に記載の発明は、請求項１に記載の遊技機において、コイン通路部は、凹状底部が所定の曲率半径で凹状に湾曲していることを特徴とする。そして、請求項３に記載の発明は、請求項１に記載の遊技機において、コイン通路部は、凹状底部がコインの外径よりも若干大きい一定の曲率半径で凹状に湾曲していることを特徴とする。
【手続補正６】
【補正対象書類名】明細書
【補正対象項目名】００２３
【補正方法】変更
【補正の内容】
【００２３】
請求項２及び請求項３の発明は、請求項１に記載した遊技機が有する投入コイン送出装置のコイン通路部の構成を限定したものである。これによれば、請求項２の発明では、凹状底部が所定の曲率半径で凹状に湾曲しており、請求項３の発明では、凹状底部がコインの外径よりも若干大きい曲率半径で凹状に湾曲しているので、いずれのコイン通路部もコインの移動方向に直交する方向の両側端部を点接触により支持した際に、コインの両側端部を中心として容易に回動可能な不安定な姿勢状態とし、コイン触突壁に触突した際に、容易にコイン触突壁に沿って延在する姿勢状態に姿勢変化させることができる。
【手続補正７】
【補正対象書類名】明細書
【補正対象項目名】００２４
【補正方法】変更
【補正の内容】
【００２４】
請求項４に記載の発明は、請求項１〜３のいずれか１項に記載の遊技機において、コイン通路部は、凹状底部が水平方向に対して１５度から２０度の間の角度で下方傾斜して延在するように配置されたことを特徴とする。
【手続補正８】
【補正対象書類名】明細書
【補正対象項目名】００２５
【補正方法】変更
【補正の内容】
【００２５】
請求項４の発明は、コイン通路部が有する凹状底部の傾斜角度を限定したものである。この傾斜角度は、発明者の鋭意研究によって見出されたものであり、これによれば、凹状底部を水平方向に対して１５度から２０度の角度で下方傾斜させて配置した場合に、コインを凹状底部に沿って適切な速度で摺接移動させることができ、かつコイン触突壁に衝突した際に、容易にコイン触突壁に沿って延在する起立姿勢状態に姿勢変化させることができる。
【手続補正９】
【補正対象書類名】明細書
【補正対象項目名】００２６
【補正方法】変更
【補正の内容】
【００２６】
請求項５に記載の発明は、請求項１〜４のいずれか１項に記載の遊技機において、振動手段は、コイン通路部内でコインをコイン通路部の延在方向に沿って延在する姿勢状態から起立姿勢状態に姿勢変更させるように、コイン通路部の延在方向に対して交差する方向にコイン通路部を振動させることを特徴とする。
【手続補正１０】
【補正対象書類名】明細書
【補正対象項目名】００２７
【補正方法】変更
【補正の内容】
【００２７】
請求項５の発明は、振動手段によるコイン通路部の振動方向を限定したものであり、これによれば、コイン通路部の延在方向に対して交差する方向にコイン通路部を振動させることで、コイン通路部内のコインをコインの両側端部を中心として容易に回動できるように振動させることができる。したがって、コインをコイン触突壁に触突させた際に、容易にコイン触突壁に沿って起立する姿勢状態に姿勢変化させることができる。
【手続補正１１】
【補正対象書類名】明細書
【補正対象項目名】００２８
【補正方法】変更
【補正の内容】
【００２８】
請求項６に記載の発明は、請求項５に記載の遊技機において、振動手段がコイン通路部を上下方向に振動させることを特徴とする。
【手続補正１２】
【補正対象書類名】明細書
【補正対象項目名】００２９
【補正方法】変更
【補正の内容】
【００２９】
請求項６の発明は、請求項５に記載した振動手段によるコイン通路部の振動方向を更に限定したものであり、これによれば、コイン通路部を上下方向に振動させることで、コインの両側端部を中心としてコインを前転方向或いは後転方向に容易に回動できるように振動させることができる。したがって、コイン触突壁に触突させた際に、コインを容易にコイン触突壁に沿って起立する姿勢状態に姿勢変化させることができる。
【手続補正１３】
【補正対象書類名】明細書
【補正対象項目名】００３０
【補正方法】変更
【補正の内容】
【００３０】
請求項７に記載の発明は、請求項１〜６のいずれか１項に記載の遊技機において、コイン通路部が、コインの外径よりも若干大きい内径を有する円形の内孔を有し、内孔が凹状底部を有することを特徴とする。
【手続補正１４】
【補正対象書類名】明細書
【補正対象項目名】００３１
【補正方法】変更
【補正の内容】
【００３１】
請求項７の発明は、コイン通路部の構成を限定したものであり、これによれば、コイン通路部がコインの外径よりも若干大きい内径を有する円形の内孔を有しており、その内孔が凹状底部を有しているので、内孔の内周面によってコインの移動方向に直交する方向の両側端部を点接触により支持することができ、コインを不安定な姿勢状態で内孔の中を移動させることができる。
【手続補正１５】
【補正対象書類名】明細書
【補正対象項目名】００３２
【補正方法】変更
【補正の内容】
【００３２】
請求項８に記載の発明は、請求項１〜７のいずれか１項に記載の遊技機において、コイン投入部は、コインの外径よりも広い範囲に亘って上方に向かって開口するコイン投入口と、コイン投入口から下方に移行するにしたがって漸次狭窄するロート部と、ロート部の下端で下方に向かって開口するコイン供給口を有しており、ロート部は、コイン投入口から投入されたコインを受ける受け壁部と、受け壁部から突出してコインとの当接によりコインを任意の姿勢状態から所定の姿勢状態に姿勢変更させる突起部とを有することを特徴とする。
【手続補正１６】
【補正対象書類名】明細書
【補正対象項目名】００３３
【補正方法】変更
【補正の内容】
【００３３】
請求項８の発明は、投入コイン送出装置が有するコイン投入部の構成を具体的に限定したものであり、これによれば、複数枚のコインを所定範囲に亘って拡散した状態のままでコイン投入口に投入することができ、ロート部でコイン供給口に向かって集合する方向に案内し、コイン供給口からコイン通路部に供給することができる。
【手続補正１７】
【補正対象書類名】明細書
【補正対象項目名】００３７
【補正方法】変更
【補正の内容】
【００３７】
請求項９に記載の発明は、請求項１〜８のいずれか１項に記載の遊技機において、コインがコイン通路部内に存在していることを検出するコイン存在検出手段と、コイン存在検出手段からの検出信号に基づいて振動手段を制御する制御手段と、を有することを特徴とする。
【手続補正１８】
【補正対象書類名】明細書
【補正対象項目名】００３８
【補正方法】変更
【補正の内容】
【００３８】
請求項９の発明によれば、コインがコイン通路部内に存在しているか否かを検出することができ、コイン通路部内にコインが存在している間は、振動手段によってコイン通路を振動させることができる。したがって、コイン通路部内にコインが存在しないときやコインを送り出した後に振動を停止させることができ、振動手段の省エネルギ化を図ることができる。